(57)【特許請求の範囲】
【請求項１】
スポーツブーツであって、
このスポーツブーツがインナーブーツ（３）と、
外部シェル（１）であって、この外部シェルの寸法により、前記インナーブーツ（３）を外部シェル内に挿入できるかあるいは外部シェルから取出すことができる外部シェルを備えており、
前記外部シェルが前記インナーブーツを強化し、かつ前記外部シェルにより、インナーブーツをスポーツ用品の部品に取付けることができ、
前記外部シェルが靴底（１０）と上部（１１，１２）を備えており、
前記インナーブーツが足首に近い外側に突出している、旋回された前記上部の前方および後方部分（１１，１２）を固定するための旋回軸（３００）を備えており、
前記外部シェルが旋回軸を収容するためのハウジング（１４）を備えているスポーツブーツにおいて、
前記ハウジング（１４）の周囲の一部分が、上部の前方部分上で切れ込み（１４０）を備えており、ハウジングの周囲の他の部分が、上部の後方部分上で切れ込み（１４１）を備えており、
前記上部の後方部分（１２）を旋回させることにより、インナーブーツを外部シェル内に挿入でき、かつ外部シェルから取出すことができ、
前記切れ込み（１４０，１４１）がインナーブーツの旋回軸（３００）を収容できるように配置されていることを特徴とするスポーツブーツ。
【請求項２】
前記旋回軸（３００）が前記切れ込みを収容するための環状の溝（３０１）を備えているを特徴とする請求項１記載のスポーツブーツ。
【請求項３】
前記外部シェルが第一の連結部（１１０）を中心にして靴底（１０）に対して旋回可能である上部の前方部分（１１）、および／または第二の連結部（１２０）を中心にして前記靴底（１０）に対して旋回可能である上部の後方部分（１２）を備えていることを特徴とする請求項１記載のスポーツブーツ。
【請求項４】
上部の前記前方部分（１１）および／または上部の前記後方部分（１２）を旋回させることにより、前記ハウジング（１４）を開くかあるいは閉じることができることを特徴とする請求項３に記載のスポーツブーツ。
【請求項５】
閉じられかつ一方を他方に対してぴんと張られた、上部の前記前方部分（１１）と上部の前記後方部分（１２）を保持するための締め金を備えていることを特徴とする請求項３に記載のスポーツブーツ。
【請求項６】
スポーツブーツが、外部シェルの靴底に対して接続され、かつ後方上部（１２）に締結された、アキレス腱の周囲の補強材（１８）を含んでいることを特徴とする請求項１に記載のスポーツブーツ。
【請求項７】
前記靴底（１０）が、水を排出するための複数の孔（１００）を備えていることを特徴とする請求項１に記載のスポーツブーツ。
【請求項８】
前記靴底（１０）が、リブと溝を備えており、外部シェル（１）内でインナーブーツ（３）を横方向に、かつ必要とされる高さに位置決めするために、インナーブーツ（３）が対応するリブと溝を備えた靴底を備えていることを特徴とする請求項１に記載のスポーツブーツ。
【請求項９】
インナーブーツ（３）が一つあるいは幾つかの紐（３６）を備えていることを特徴とする請求項１に記載のスポーツブーツ。
【請求項１０】
固定点へ紐留めを固定することにより紐をぴんと張ることができる紐留め（３４）を備えていることを特徴とする請求項９に記載のスポーツブーツ。
【請求項１１】
靴底（１０）と少なくとも一つの上部（１１，１２）の旋回部分とを備えた外部シェルにおいて、
足首の外側に切れ込み（１４０，１４１）を備え、これらの切れ込みがインナーブーツの旋回軸（３００）を収容できるように配置されていることを特徴とする請求項１に記載のスポーツブーツのための外部シェル。
【請求項１２】
上部の前方部分（１１）と上部の後方部分（１２）を備え、前記前方部分が、上部の前方部分（１１）上に一方の切れ込み（１４０）を備え、前記後方部分が、上部の後方部分（１２）上に他方の切れ込み（１４１）を備えており、両方の切れ込みが、その中に旋回軸（３００）を収容するための閉じたハウジング（１４）を形成していることを特徴とする請求項１１に記載のスポーツブーツ。
【請求項１３】
閉じられかつ一方を他方に対してぴんと張られた上部の前記前方部分（１１）と上部の前記後方部分（１２）を保持するための締め金を備えていることを特徴とする請求項１１に記載のスポーツブーツ。
【請求項１４】
前記靴底の内側にリブが付されていることを特徴とする請求項１１に記載のスポーツブーツ。
【請求項１５】
足首の外側に突出している旋回軸（３００）を備え、この旋回軸が前記旋回軸により外部シェルを締付けできるように配置されていることを特徴とする請求項１に記載のスポーツブーツのためのインナーブーツ（３）。
【請求項１６】
リブを付された靴底（３７）を備えていることを特徴とする請求項１５に記載のインナーブーツ。
【発明の詳細な説明】
【技術分野】
【０００１】
本発明は、スポーツブーツの分野、特にスキー、スケートなどのための堅いシェルを備えたスポーツブーツの分野に関する。本発明は、特に堅い外部シェルとツアータイプの着脱可能なインナーブーツを備えたスポーツブーツに関する。
【背景技術】
【０００２】
インナーブーツと外部シェルを備えたスキーブーツは、従来技術の状態が公知である。インナーブーツはより快適に歩行するために外部シェルから取出すか、あるいはスキーをするためにこの外部シェル内に挿入することができる。このようなブーツの実例は特許文献１に記載されている。
【先行技術文献】
【特許文献】
【０００３】
【特許文献１】国際特許出願公開第２００９／０９７５５０号明細書
【発明の概要】
【発明が解決しようとする課題】
【０００４】
外部シェルを備えたスキーブーツが有する課題の一つは、インナーブーツと外部シェルの間の力の伝達である。事実、インナーブーツは一般的に外部シェルに締付けられず、外部シェルの中でスライドするかあるいは動く恐れがあり、それによって力の効率的な伝達が邪魔され、スキースタイルを譲歩してします。
【０００５】
本発明の一つの課題は、改善された外部シェルを備えた新しいスキーブーツを提案することである。
【課題を解決するための手段】
【０００６】
本発明によれば、これらの課題は、
インナーブーツ（３）と、
外部シェル（１）であって、この外部シェルの寸法により、前記インナーブーツ（３）を外部シェル内に挿入できるかあるいは外部シェルから取出すことができる外部シェルを備えており、
前記外部シェルが前記インナーブーツを強化し、かつ前記外部シェルにより、インナーブーツをスポーツ用品の部品に取付けることができ、
前記外部シェルが靴底（１０）と上部を備えており、
前記インナーブーツが足首に近い外側に突出している旋回軸を備えており、
前記外部シェルが旋回軸を収容するためのハウジングを備えているスポーツブーツを用いて明らかに達せられる。
【０００７】
この解決手段により、特にスキー回転時の力の伝達のための重要点においてインナーブーツと外部シェルを一体化することが可能になる。
【０００８】
外部シェルは第一の連結部を中心にして靴底に対して旋回可能である上部の前方部分、および／または第二の連結部を中心にして前記靴底に対して旋回可能である上部の後方部分を備えていてもよい。上部の前記後方部分を旋回させることにより、インナーブーツを外部シェル内に挿入でき、かつ外部シェルから取出すことができる。締め金は、閉じられかつ一方を他方に対してぴんと張られた上部の前方部分と上部の後方部分を保持するために設けられている。この構造によりインナーブーツを容易に取出し、もしくは挿入することができ、かつこのインナーブーツを足首に効率的に保持することができる。
【０００９】
上部の前記前方部分および／または上部の前記後方部分を旋回させることにより、前記ハウジングを開くかあるいは閉じることができる。ハウジングの周囲の一部分は、上部の前方部分上で切れ込みにより形成することができ、ハウジングの周囲の他の部分は、上部の後方部分上で切れ込みにより形成することができる。インナーブーツ上の突出している旋回軸は、切れ込みを収容するための環状の溝を備えている。この構造により、旋回軸とハウジングの間の堅い連結と、上部の前方部分あるいは後方部分を単純に開くことによるこれらの構成部材の容易な接続が可能になる。
【００１０】
インナーブーツは、外部シェルの靴底に対して関節式につながれ、かつ後方上部に締結されアキレス腱の周囲の補強材を含んでもよい。
【００１１】
旋回軸とハウジングの存在の独立した特徴によれば、外部シェルの靴底は、この外部シェルの内側の水を排出するための複数の孔を備えていてもよい。外部シェルはインナーブーツを見ることができ、かつ水を排出できるように大部分が穿孔されている。
【００１２】
靴底の内側は、レリーフ模様構造、例えばリブと溝を備えていてもよく、外部シェル内でインナーブーツを横方向に、かつ必要とされる高に位置決めするために、このレリーフ模様構造はインナーブーツの靴底の下に対応する模様構造と協働している。従ってこの構造は、インナーブーツと外部シェルの間に、（少なくとも足に対して垂直な軸線に沿って）
堅い締結点を与える。
【００１３】
本発明はさらに記載されたような外部シェルと記載されたようなインナーブーツにも関する。
【００１４】
本発明の実施形態の実例を、添付した図により説明した詳細な説明において示してある。
【図面の簡単な説明】
【００１５】
【図１】インナーブーツと閉じた外部シェルを備えた完全なスキーブーツを示す図である。
【図２】閉じた位置における外部シェルを示した図である。
【図３】上部の後方部分が空いた状態にある外部シェルを示した図である。
【図４】上部の後方部分と前方部分が共に空いた状態にある外部シェルを示した図である。
【図５】これまでの図の外部シェルと協働することができるインナーブーツを示した図である。
【図６】外部シェルにインナーブーツを締結することの詳細を示した図である。
【図７】図６を側面から見た図である。
【図８】外部シェルの靴底の下方から見た図である。
【図９】外部シェルの靴底の上方から見た図である。
【発明を実施するための形態】
【実施例】
【００１６】
図示したスポーツブーツはスキーブーツである。本発明は、別のタイプのブーツ、例えばスケートブーツ、スノーボードブーツ等にも適用できる。
【００１７】
図１に示したスポーツブーツは、図５でさらに詳細に示したインナーブーツ３と、図２と４に示した外部シェル１を備えている。インナーブーツ３は足を暖かく保ち、かつ街中で、スキーレストランで、あるいは雪の中で快適に歩くことができるように設計されている。外部シェル１はこのインナーブーツを強固のし、かつインナーブーツをスキーのビンディング内へ、あるいは別のスポーツ器具の部品内へ案内することができるように設計されている。足と足首は、例えば紐を備えたインナーブーツにより保持され、さらに外部シェルが閉じられると外部シェルによる大きな圧力で保持される。
【００１８】
インナーブーツ３は、保温、防水および快適さを確保する、異なる軟らかい詰め物材料３５を備えている。しかし、インナーブーツの靴底と基底部および／または上部の上側の強化リングは剛性のある合成材料でできていてもよい。しかしこのインナーブーツは、外部シェル１によって完全には保護されておらず、従って防水材料で作らねばならない。例えば合成材料あるいは天然材料の軟らかい詰め物と一緒にインナーブーツは皮、ゴアテックス、ナイロン等で作ることができる。
【００１９】
外部シェル１それ自体は剛性の有る合成材料でできている。外部シェルは大部分穿孔されており、外部シェルを軽量化し、かつインナーブーツを見ることができるようにしている。
【００２０】
外部シェルの寸法により、インナーブーツは外部シェル内に挿入するか、あるいはインナーブーツから取出すことができる。図２からわかるように、外部シェルは、靴底１０と、第一の連結部１１０の周囲で前記靴底１０に対して旋回可能な上部の前側部分１１と、第二の連結部１２０の周囲で前記靴族１０に対して旋回可能な上部の後方部分１２を備えている。図示していない異なる実施例において、上部の二つの部品のただ一つだけを連結することが可能である。図３と４に見られるように、上部の前側部分および／または後方部分を各々旋回させることにより取出される外部シェル内にインナーブーツを挿入することができる。しかし一実施例において、図３に示した位置にとどめたままの状態で、後方部分１２だけを旋回させることにより、インナーブーツを取出すか、あるいは挿入することができる。しかしながら、前側部分の旋回により取出しは容易になり、さらに前側部分がスキー上に残っていると、外骨格の高さと空間に必要とされる条件を抑えることができる。参照符号１８は、外部シェルの基底部に接続した軸１８０を中心に旋回している、アキレス腱の周囲の補強材を示しており、この補強材は、閉鎖した位置において、上部の後方部分の開口部に挿入されるほぞ（ｔｅｎｏｎ）１８２により上部の後方部分１２の内側に対して固定される。
【００２１】
外部シェル１が閉じられ、靴締め金で締められると、この実施例ではケーブルに張力を与えることができる二つの締め金１１２，１１３が、上部の後方部分１２に対して状部の前方部分１１をぴったりと保持している。
【００２２】
図５に示したインナーブーツは、基底部３１、上部３０および靴底３７を備えている。参照符号３５は詰め物材料を示す。インナーブーツは紐留め３４を備えた紐３６により締められ、この紐留めにより、紐に張力を与え、かつ紐留め３４を舌状体３３上の固定点に引っ掛けることができる。
【００２３】
さらにインナーブーツ３は、足首の外側に旋回軸３００を備え、この旋回軸によりインナーブーツを外部シェルに固定することができる。似た旋回軸を足首の内側にも設けることができるが、使用時に歩行の邪魔であることがわかり、数多くのタイプのインナーブーツの場合、内側の旋回軸は付けないのが好ましい。
【００２４】
外部シェルはこの旋回軸を収容するために足首の内側にハウジング１４を備えている。ハウジングは上部の前方部分１１上の半円形の切れ込み１４０と、上部の後方部分１２上の類似した切れ込み１４１により構成されており、これらの切れ込みは旋回軸３００内の溝３０１内でスライドするようになる。従ってハウジング１４は外部シェルの上部の前方部分１１および／または外部シェルの上部の後方部分１２を各々旋回することにより開閉することができる。従って旋回軸３００はインナーブーツ３と外部シェル１の間に堅い締結点を構成しており、この締結点はブーツの二つの部品の間で効率的に力を伝えることができる。
【００２５】
異なる実施形態において、図示してはいないが、インナーブーツの基底部３１は上部の限られた屈曲性（ｌｉｍｉｔｅｄ  ｆｌｅｘｉｏｎ）を許容できるように、二つの旋回軸を中心にしてこのインナーブーツの上部３に対して関節式に接続している
図８と９には、外部シェル１の靴底１０の二つの図が示してある。図８を見てわかるように、靴底１０は靴底の下に締められた取替え可能な消耗部品を構成する前方板１０２と後方板１０３を備えている。靴底１０を通る複数の孔１００により、外部シェルの内側に溜まる水と雪を取り除くことができる。
【００２６】
外部シェル１内でインナーブーツ３の正確な横方向位置決めとブーツのこれら二つの部品の間の力の伝達とを確実に行うために、靴底１０の内側は、溝により隔てられ、かつインナーブーツの靴底３７の下の溝とリブに対応するように協働している、ここではリブ１０１により構成されたレリーフ模様構造を備えている。さらにこの構造により、歩行のために使用された場合に、たとえ靴底３７が摩耗しても、外部シェル１内におけるインナーブーツの一定の位置決めを確実に行うことができる。実際のところ、靴底３７のリブが摩耗しても、インナーブーツの垂直位置が変わらないように、靴底３７の真下の溝の底部は摩耗しにくい。
【００２７】
インナーブーツを見ることができるようにかなりの程度まで穿孔されている構造を外部シェルが備えているのが有利である。一実施形態において、外部シェルの靴底は、互いに溶接、接着あるいは機械式に組立てられた二つの部品から成り、長手方向の締結位置を変えることにより、１個のモールドから異なる靴サイズの靴底を製造することが可能である。
【符号の説明】
【００２８】
１        外部シェル
１０      靴底
１００    靴底の孔
１０１    靴底の内側の長手方向リブ
１０２    つま先板
１０３    踵板
１１      上部の前方部分
１１０    上部の前方部分の旋回点
１１２    締め金
１１３    締め金
１１４    締付けケーブル
１１５    締付けケーブル
１２      上部の後方部分
１２０    上部の後方部分の旋回点
１４      旋回のためのハウジング
１４０    旋回のためのハウジングの前方部
１４１    旋回のためのハウジングの後方部
１６      靴底の前方部
１７      靴底の後方部
１８      アキレス腱周囲の強化部
１８０    アキレス腱周囲の強化部の軸
１８１    アキレス腱周囲の強化部のロック
３        インナーブーツ
３０      インナーブーツの上部
３００    インナーブーツの旋回軸
３０１    溝
３１      インナーブーツの基底部
３３      舌状体
３４      紐留め
３５      詰め物
３６      紐
３７      インナーブーツの靴底
【図１】
0006014146.tif 000002
【図２】
0006014146.tif 000003
【図３】
0006014146.tif 000004
【図４】
0006014146.tif 000005
【図５】
0006014146.tif 000006
【図６】
0006014146.tif 000007
【図７】
0006014146.tif 000008
【図８】
0006014146.tif 000009
【図９】
0006014146.tif 000010